(57)【要約】【課題】映像データを編集する場合において、ユーザの操作性を向上させる。【解決手段】再生対象読出部８１は、光ディスクから、映像データと、映像データの解像度を低くした低解像度データを読み出す。合成部８２は、読み出された映像データと低解像度データを合成する。映像表示I/Fは、合成の結果得られる合成データに基づいて、映像データに対応する映像である素材映像を、表示装置の親画面に表示させると同時に、低解像度データに対応する映像である低解像映像を、表示装置の、親画面より小さい子画面に表示させる。本発明は、例えば、光ディスクを再生する装置に適用することができる。【選択図】図２
2008172497.tif 000002
【特許請求の範囲】
【請求項１】
記録媒体に記録されている、映像データと、前記映像データの解像度を低くした低解像度データを再生する再生装置において、
前記記録媒体から、前記映像データと前記低解像度データを読み出す読出手段と、
読み出された前記映像データと前記低解像度データを合成する合成手段と、
前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させる表示制御手段と
を備える再生装置。
【請求項２】
前記第２の画面に表示させる低解像映像のタイムコードを指定する低解像指定手段と、
前記第２の画面に表示される低解像映像のタイムコードを、編集対象とする素材映像の区間である編集区間の開始位置として指定する開始位置指定手段と、
前記第２の画面に表示されている低解像映像のタイムコードと同一のタイムコードに対応する素材映像の、前記第１の画面への表示を指令する指令手段と、
前記第２の画面に表示される低解像映像のタイムコードを、前記編集区間の終了位置として指定する終了位置指定手段と、
指定された前記編集区間の開始位置と終了位置を、編集の結果を表す編集情報として前記記録媒体に記録させる編集手段と
をさらに備え、
前記合成手段は、前記指令手段による指令に応じて、前記第２の画面に表示されている低解像映像の低解像度データと、その低解像映像のタイムコードと同一のタイムコードに対応する素材映像の映像データとを合成し、前記低解像度指定手段により低解像映像のタイムコードが指定された場合、そのタイムコードに対応する低解像度データと、前記指令手段による指令時に前記第２の画面に表示された低解像映像のタイムコードと同一のタイムコードに対応する素材映像の映像データとを合成する
請求項１に記載の再生装置。
【請求項３】
前記第２の画面に表示させる低解像映像のタイムコードを指定する低解像指定手段と、
前記第２の画面に表示されている低解像映像のタイムコードと同一のタイムコードに対応する素材映像の、前記第１の画面への表示を指令する表示指令手段と、
前記第１の画面に表示させる素材映像のタイムコードの、前記表示指令手段による指令時に前記第１の画面に表示される素材映像のタイムコードから、所望の素材映像のタイムコードへの変更を指令する変更指令手段と、
前記第１の画面に表示される素材映像のタイムコードを、編集対象とする素材映像の区間である編集区間の開始位置として指定する開始位置指定手段と、
前記第１の画面に表示される素材映像のタイムコードを、前記編集区間の終了位置として指定する終了位置指定手段と、
指定された前記編集区間の開始位置と終了位置を、編集の結果を表す編集情報として前記記録媒体に記録させる編集手段と
をさらに備え、
前記合成手段は、前記表示指令手段による指令に応じて、前記第２の画面に表示されている低解像映像の低解像度データと、その低解像映像のタイムコードと同一のタイムコードに対応する素材映像の映像データとを合成し、前記低解像度指定手段によりタイムコードが指定された場合、そのタイムコードに対応する低解像度データと、直前に第１の画面に表示されていた素材映像の映像データとを合成し、前記変更指令手段による指令に応じて、直前に第２の画面に表示されていた低解像度の低解像度データと、前記所望の素材映像のタイムコードに対応する映像データとを合成する
請求項１に記載の再生装置。
【請求項４】
記録媒体に記録されている、映像データと、前記映像データの解像度を低くした低解像度データを再生する再生装置の再生方法において、
前記記録媒体から、前記映像データと前記低解像度データを読み出し、
読み出された前記映像データと前記低解像度データを合成し、
前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させる
ステップを含む再生方法。
【請求項５】
記録媒体に記録されている、映像データと、前記映像データの解像度を低くした低解像度データを再生する再生処理を、コンピュータに行わせるプログラムにおいて、
前記記録媒体から、前記映像データと前記低解像度データを読み出し、
読み出された前記映像データと前記低解像度データを合成し、
前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させる
ステップを含む再生処理をコンピュータに行わせるプログラム。
【発明の詳細な説明】
【技術分野】
【０００１】
本発明は、再生装置および再生方法、並びにプログラムに関し、特に、映像データを編集する場合において、ユーザの操作性を向上させることができるようにした再生装置および再生方法、並びにプログラムに関する。
【背景技術】
【０００２】
従来、ユーザがVTR（Video Tape Recorder）を用いて映像の編集を行う場合、編集対象とする映像を再生するVTRと、編集結果を録画するVTRの２台のVTRを用いて、それぞれに設けられる表示装置に表示される映像を見ながら、編集作業を行っていた。
【０００３】
また、従来、１枚の光ディスクに記録されている映像データをノンリニア編集することが可能な光ディスク装置がある（例えば、特許文献１参照）。このような光ディスク装置を用いて編集を行う場合、ユーザは、１台の光ディスク装置を用いて、例えば、映像データに基づいて表示される映像の中から、編集対象とする映像の区間である編集区間の開始位置（以下、イン点という）の映像と終了位置（以下、アウト点という）の映像を検索し、その映像のタイムコードをイン点またはアウト点として設定することにより編集を行う。
【０００４】
【特許文献１】特開２００４−３４３２１７号公報
【発明の開示】
【発明が解決しようとする課題】
【０００５】
この場合において、編集対象とする複数の映像を同時に表示させることにより、ユーザの操作性を向上させることは考えられていなかった。
【０００６】
即ち、例えば、ある編集区間のイン点の映像の検索時に、光ディスク装置が、検索元となる映像と同時に、直前の編集区間のアウト点の映像を表示させる場合、ユーザは、いま設定するイン点と接続される、直前の編集区間のアウト点の映像を見ながら、イン点を設定することができるので、イン点の映像を容易に検索することができる。その結果、ユーザの操作性は向上する。しかしながら、編集対象とする複数の映像を同時に表示させることは考えられていなかった。
【０００７】
本発明は、このような状況に鑑みてなされたものであり、映像データを編集する場合において、ユーザの操作性を向上させることができるようにするものである。
【課題を解決するための手段】
【０００８】
本発明の一側面の再生装置は、記録媒体に記録されている、映像データと、前記映像データの解像度を低くした低解像度データを再生する再生装置において、前記記録媒体から、前記映像データと前記低解像度データを読み出す読出手段と、読み出された前記映像データと前記低解像度データを合成する合成手段と、前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させる表示制御手段とを備える。
【０００９】
本発明の一側面の再生装置は、前記第２の画面に表示させる低解像映像のタイムコードを指定する低解像指定手段と、前記第２の画面に表示される低解像映像のタイムコードを、編集対象とする素材映像の区間である編集区間の開始位置として指定する開始位置指定手段と、前記第２の画面に表示されている低解像映像のタイムコードと同一のタイムコードに対応する素材映像の、前記第１の画面への表示を指令する指令手段と、前記第２の画面に表示される低解像映像のタイムコードを、前記編集区間の終了位置として指定する終了位置指定手段と、指定された前記編集区間の開始位置と終了位置を、編集の結果を表す編集情報として前記記録媒体に記録させる編集手段とをさらに設け、前記合成手段は、前記指令手段による指令に応じて、前記第２の画面に表示されている低解像映像の低解像度データと、その低解像映像のタイムコードと同一のタイムコードに対応する素材映像の映像データとを合成し、前記低解像度指定手段により低解像映像のタイムコードが指定された場合、そのタイムコードに対応する低解像度データと、前記指令手段による指令時に前記第２の画面に表示された低解像映像のタイムコードと同一のタイムコードに対応する素材映像の映像データとを合成することができる。
【００１０】
本発明の一側面の再生装置は、前記第２の画面に表示させる低解像映像のタイムコードを指定する低解像指定手段と、前記第２の画面に表示されている低解像映像のタイムコードと同一のタイムコードに対応する素材映像の、前記第１の画面への表示を指令する表示指令手段と、前記第１の画面に表示させる素材映像のタイムコードの、前記表示指令手段による指令時に前記第１の画面に表示される素材映像のタイムコードから、所望の素材映像のタイムコードへの変更を指令する変更指令手段と、前記第１の画面に表示される素材映像のタイムコードを、編集対象とする素材映像の区間である編集区間の開始位置として指定する開始位置指定手段と、前記第１の画面に表示される素材映像のタイムコードを、前記編集区間の終了位置として指定する終了位置指定手段と、指定された前記編集区間の開始位置と終了位置を、編集の結果を表す編集情報として前記記録媒体に記録させる編集手段とをさらに設け、前記合成手段は、前記表示指令手段による指令に応じて、前記第２の画面に表示されている低解像映像の低解像度データと、その低解像映像のタイムコードと同一のタイムコードに対応する素材映像の映像データとを合成し、前記低解像度指定手段によりタイムコードが指定された場合、そのタイムコードに対応する低解像度データと、直前に第１の画面に表示されていた素材映像の映像データとを合成し、前記変更指令手段による指令に応じて、直前に第２の画面に表示されていた低解像度の低解像度データと、前記所望の素材映像のタイムコードに対応する映像データとを合成することができる。
【００１１】
本発明の一側面の再生方法は、記録媒体に記録されている、映像データと、前記映像データの解像度を低くした低解像度データを再生する再生装置の再生方法において、前記記録媒体から、前記映像データと前記低解像度データを読み出し、読み出された前記映像データと前記低解像度データを合成し、前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させるステップを含む。
【００１２】
本発明の一側面のプログラムは、記録媒体に記録されている、映像データと、前記映像データの解像度を低くした低解像度データを再生する再生処理を、コンピュータに行わせるプログラムにおいて、前記記録媒体から、前記映像データと前記低解像度データを読み出し、読み出された前記映像データと前記低解像度データを合成し、前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させるステップを含む再生処理をコンピュータに行わせる。
【００１３】
本発明の一側面においては、記録媒体から、前記映像データと前記映像データの解像度を低くした低解像度データが読み出され、読み出された前記映像データと前記低解像度データが合成され、前記合成の結果得られる合成データに基づいて、前記映像データに対応する映像である素材映像が、表示装置の第１の画面に表示されると同時に、前記低解像度データに対応する映像である低解像映像が、前記表示装置の、前記第１の画面より小さい第２の画面に表示される。
【００１４】
再生装置は、独立した装置であっても良いし、記録再生装置の再生処理を行うブロックであっても良い。
【発明の効果】
【００１５】
以上のように、本発明の一側面によれば、映像を再生することができる。
【００１６】
また、本発明の一側面によれば、映像データを編集する場合において、ユーザの操作性を向上させることができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の再生装置は、
記録媒体（例えば、図１の光ディスク４３）に記録されている、映像データと、前記映像データの解像度を低くした低解像度データ（例えば、プロキシデータ）を再生する再生装置（例えば、図１の光ディスク装置１０）において、
前記記録媒体から、前記映像データと前記低解像度データを読み出す読出手段（例えば、図２の再生対象読出部８１）と、
読み出された前記映像データと前記低解像度データを合成する合成手段（例えば、図２の合成部８２）と、
前記合成の結果得られる合成データに基づいて、前記映像データに対応する映像である素材映像を、表示装置（例えば、図１の表示装置４６）の第１の画面（例えば、図７の親画面１４１）に表示させると同時に、前記低解像度データに対応する映像である低解像映像を、前記表示装置の、前記第１の画面より小さい第２の画面（例えば、図７の子画面１４２）に表示させる表示制御手段（例えば、図１の映像表示I/F５８）と
を備える。
【００１９】
本発明の一側面の再生装置は、
前記第２の画面に表示させる低解像映像のタイムコードを指定する低解像指定手段（例えば、図８のサブボタン１９２と巻き戻しボタン１９３など）と、
前記第２の画面に表示される低解像映像のタイムコードを、編集対象とする素材映像の区間である編集区間の開始位置として指定する開始位置指定手段（例えば、図８の入力ボタン１７１とイン点ボタン１７３）と、
前記第２の画面に表示されている低解像映像のタイムコードと同一のタイムコードに対応する素材映像の、前記第１の画面への表示を指令する指令手段（例えば、図８のサブメインボタン１８２）と、
前記第２の画面に表示される低解像映像のタイムコードを、前記編集区間の終了位置として指定する終了位置指定手段（例えば、図８の入力ボタン１７１とアウト点ボタン１７４）と、
指定された前記編集区間の開始位置と終了位置を、編集の結果を表す編集情報（例えば、エディットリスト）として前記記録媒体に記録させる編集手段（例えば、図２の編集部８４）と
をさらに備え、
前記合成手段は、前記指令手段による指令に応じて、前記第２の画面に表示されている低解像映像の低解像度データと、その低解像映像のタイムコードと同一のタイムコードに対応する素材映像の映像データとを合成し、前記低解像度指定手段により低解像映像のタイムコードが指定された場合、そのタイムコードに対応する低解像度データと、前記指令手段による指令時に前記第２の画面に表示された低解像映像のタイムコードと同一のタイムコードに対応する素材映像の映像データとを合成する。
【００２０】
本発明の一側面の再生装置は、
前記第２の画面に表示させる低解像映像のタイムコードを指定する低解像指定手段（例えば、図８のサブボタン１９２と巻き戻しボタン１９３など）と、
前記第２の画面に表示されている低解像映像のタイムコードと同一のタイムコードに対応する素材映像の、前記第１の画面への表示を指令する表示指令手段（例えば、図８のサブメインボタン１８２）と、
前記第１の画面に表示させる素材映像のタイムコードの、前記表示指令手段による指令時に前記第１の画面に表示される素材映像のタイムコードから、所望の素材映像のタイムコードへの変更を指令する変更指令手段（例えば、図８のメインボタン１９１と巻き戻しボタン１９３など）と、
前記第１の画面に表示される素材映像のタイムコードを、編集対象とする素材映像の区間である編集区間の開始位置として指定する開始位置指定手段（例えば、図８の入力ボタン１７１とイン点ボタン１７３）と、
前記第１の画面に表示される素材映像のタイムコードを、前記編集区間の終了位置として指定する終了位置指定手段（例えば、図８の入力ボタン１７１とアウト点ボタン１７４）と、
指定された前記編集区間の開始位置と終了位置を、編集の結果を表す編集情報として前記記録媒体に記録させる編集手段（例えば、図２の編集部８４）と
をさらに備え、
前記合成手段は、前記表示指令手段による指令に応じて、前記第２の画面に表示されている低解像映像の低解像度データと、その低解像映像のタイムコードと同一のタイムコードに対応する素材映像の映像データとを合成し、前記低解像度指定手段によりタイムコードが指定された場合、そのタイムコードに対応する低解像度データと、直前に第１の画面に表示されていた素材映像の映像データとを合成し、前記変更指令手段による指令に応じて、直前に第２の画面に表示されていた低解像度の低解像度データと、前記所望の素材映像のタイムコードに対応する映像データとを合成する。
【００２１】
本発明の一側面の再生方法は、
記録媒体（例えば、図１の光ディスク４３）に記録されている、映像データと、前記映像データの解像度を低くした低解像度データを再生する再生装置（例えば、図１の光ディスク装置１０）の再生方法において、
前記記録媒体から、前記映像データと前記低解像度データを読み出し（例えば、図１２のステップＳ３８）、
読み出された前記映像データと前記低解像度データを合成し（例えば、図１２のステップＳ３９）、
前記合成の結果得られる合成データに基づいて、前記映像データに対応する映像である素材映像を、表示装置の第１の画面に表示させると同時に、前記低解像度データに対応する映像である低解像映像を、前記表示装置の、前記第１の画面より小さい第２の画面に表示させる（例えば、図１２のステップＳ４０）
ステップを含む。
【００２２】
以下、本発明を適用した具体的な実施の形態について、図面を参照しながら詳細に説明する。
【００２３】
図１は、本発明を適用した光ディスク装置１０の一実施の形態の構成例を示すブロック図である。
【００２４】
図１の光ディスク装置１０では、映像入力I/F（Interface）５０、音声入力I/F５１、マイクロコンピュータ（以下、マイコンという）５２、一時記憶メモリI/F５３、光ディスクドライブI/F５４、操作部I/F５５、音声出力I/F５６、シリアルデータI/F５７、映像表示I/F５８、メモリカードI/F５９、ネットワークI/F６０、ハードディスクドライブI/F６１、およびドライブI/F６２が、データバスを介して、システムバス６３に接続されている。
【００２５】
映像入力I/F５０には、外部に設けられたカメラ４１が接続されており、カメラ４１により撮影された結果得られる映像信号が、カメラ４１から入力される。映像入力I/F５０は、その映像信号に含まれる、SDI（Serial Digital Interface）規格に準拠した信号、コンポジット信号、コンポーネント信号などの同期信号を、映像データとして、システムバス６３を介して、マイコン５２、映像表示I/F５８、または、一時記憶メモリI/F５３に供給する。
【００２６】
音声入力I/F５１には、外部に設けられたマイクロフォン４２が接続されており、マイクロフォン４２により取得された音声のアナログ信号である音声信号が入力される。音声入力I/F５１は、その音声信号に対してA/D（Analog/Digital）変換を行い、その結果得られるデジタル信号を音声データとして、システムバス６３を介して、マイコン５２または一時記憶メモリI/F５３に供給する。
【００２７】
マイコン５２は、CPU(Central Processing Unit)、ROM(Read Only Memory)、およびRAM（Random Access Memory）により構成される。マイコン５２のCPUは、ROMまたはハードディスク６７に記録されているプログラムにしたがって、操作部I/F５５からの操作信号などに応じて、光ディスク装置１０の各部を制御する。
【００２８】
例えば、CPUは、映像入力I/F５０から供給される映像データと、音声入力I/F５１から供給される音声データとからなる素材データを用いて、その映像データの解像度を低くしたデータと、音声データのデータ量を少なくしたデータとからなるプロキシデータを作成し、一時記憶メモリI/F５３に供給する。
【００２９】
また、CPUは、一時記憶メモリI/F５３から供給される素材データまたはプロキシデータのうちの音声データを、システムバス６３を介して音声出力I/F５６に供給する。さらに、CPUは、一時記憶メモリI/F５３から供給される素材データとプロキシデータのうちの映像データを合成し、合成の結果得られる合成データを、システムバス６３を介して映像表示I/F５８に供給する。RAMには、CPUが実行するプログラムやデータなどが適宜記憶される。
【００３０】
一時記憶メモリI/F５３には、バッファなどの一時記憶メモリ６４が接続されており、一時記憶メモリI/F５３は、映像入力I/F５０からの映像データと、音声入力I/F５１からの音声データとからなる素材データを、一時記憶メモリ６４の素材領域７１に記憶させる。また、一時記憶メモリI/F５３は、マイコン５２から供給されるプロキシデータを、一時記憶メモリ６４のプロキシ領域７２に記憶させる。
【００３１】
さらに、一時記憶メモリI/F５３は、一時記憶メモリ６４の素材領域７１に記憶されている、映像入力I/F５０からの映像データおよび音声入力I/F５１からの音声データからなる素材データと、プロキシ領域７２に記憶されている、マイコン５２からのプロキシデータとを読み出し、システムバス６３を介して、光ディスクドライブI/F５４に供給する。
【００３２】
また、一時記憶メモリI/F５３は、光ディスクドライブI/F５４から供給されるクリップ（詳細は後述する）のうちの素材データを、一時記憶メモリ６４の素材領域７１に記憶させたり、クリップのプロキシデータを一時記憶メモリ６４のプロキシ領域７２に記憶させる。さらに、一時記憶メモリI/F５３は、一時記憶メモリ６４の素材領域７１またはプロキシ領域７２に記憶されている、光ディスクドライブI/F５４から供給された素材データまたはプロキシデータを、マイコン５２に供給する。
【００３３】
なお、クリップとは、例えば、１回の撮影処理（撮影開始から撮影終了までの撮影処理）により得られた映像データと、その映像データに対応する音声データ、メタデータ等の集合体を指す。
【００３４】
光ディスクドライブI/F５４には、光ディスク４３が装着される光ディスクドライブ６５が接続されている。光ディスクドライブI/F５４は、光ディスクドライブ６５を制御して、クリップやクリップのプロキシデータを読み出し、システムバス６３を介して一時記憶メモリI/F５３に供給する。また、光ディスクドライブI/F５４は、光ディスクドライブ６５を制御し、一時記憶メモリI/F５３からの素材データ、プロキシデータなどを、光ディスク４３にクリップ単位で記録させる。
【００３５】
操作部I/F５５には、外部に設けられた操作ボタン、キーボード、マウス、リモートコントローラから送信されてくる指令を受信する受信部などの操作部４４が接続される。操作部I/F５５は、ユーザによる操作部４４の操作に応じて、その操作を表す操作信号を生成し、その操作信号をシステムバス６３を介してマイコン５２に供給する。また、操作部I/F５５は、操作部４４の内部に設けられたLED（Light Emitting Diode）などの発光素子を発光させる。
【００３６】
音声出力I/F５６には、外部に設けられたスピーカ４５が接続され、音声出力I/F５６は、マイコン５２から供給される音声データに対して、D/A（Digital/Audio）変換を行い、その結果得られるアナログ信号を増幅して、スピーカ４５に供給する。スピーカ４５は、音声出力I/F５６からのアナログ信号に基づいて、音声を外部に出力する。なお、音声出力I/F５６は、音声データをそのままスピーカ４５に供給し、スピーカ４５が、D/A変換等を行い、その結果得られるアナログ信号に基づいて音声を外部に出力するようにしてもよい。
【００３７】
シリアルデータI/F５７は、必要に応じて、図示せぬ外部のコンピュータ等のデジタル機器との間で、データをやり取りする。映像表示I/F５８には、外部に設けられた表示装置４６が接続され、映像表示I/F５８は、映像入力I/F５０からの映像データ、またはマイコン５２からの合成データに対して、D/A変換を行い、その結果得られるコンポジット信号、コンポーネント信号などのアナログ信号を増幅して、表示装置４６に供給する。表示装置４６は、映像表示I/F５８からのアナログ信号に基づいて映像を表示する。
【００３８】
その結果、表示装置４６には、例えば、合成データに対応して、素材データに対応する映像である素材映像と、プロキシデータに対応する映像であるプロキシ映像が同時に表示される。なお、表示装置４６には、素材映像またはプロキシ映像とともに、その素材映像またはプロキシ映像のタイムコードが表示されるようにしてもよい。
【００３９】
また、映像表示I/F５８は、映像データをそのまま表示装置４６に供給し、表示装置４６が、D/A変換等を行い、その結果得られるアナログ信号に基づいて映像を外部に出力するようにしてもよい。
【００４０】
メモリカードI/F５９は、必要に応じて光ディスク装置１０に装着されるメモリカード(図示せず)に対して、素材データ、各種の設定データなどの読み書きを行う。ネットワークI/F６０は、必要に応じて、インターネットやローカルエリアネットワークといった、有線または無線のネットワークを介して接続される他の装置との間で、データのやり取りを行う。
【００４１】
例えば、ネットワークI/F６０は、他の装置からネットワークを介してプログラムを取得し、システムバス６３、ハードディスクドライブI/F６１、およびハードディスクドライブ６６を介して、ハードディスク６７に記録させる。
【００４２】
ハードディスクドライブI/F６１には、ハードディスク６７が装着されるハードディスクドライブ６６が接続されている。ハードディスクドライブI/F６１は、ハードディスクドライブ６６を制御し、ハードディスク６７に対するデータの読み書きを行う。例えば、ハードディスクドライブI/F６１は、ハードディスクドライブ６６を制御し、ネットワークI/F６０とシステムバス６３を介して供給されるプログラムを、ハードディスク６７に記録させる。
【００４３】
ドライブI/F６２には、ドライブ６８が接続されている。ドライブI/F６２は、ドライブ６８を制御し、ドライブ６８に磁気ディスク、光ディスク、光磁気ディスク、或いは半導体メモリなどのリムーバブルメディア４７が装着されたとき、それらを駆動し、そこに記録されているプログラムやデータなどを取得する。取得されたプログラムやデータは、必要に応じてハードディスクドライブI/F６１などを介してハードディスク６７に転送され、記録される。
【００４４】
システムバス６３は、そこにデータバスを介して接続されている各部の間でのデータのやり取りを仲介する。
【００４５】
次に、図１の光ディスク装置１０において、マイコン５２は、所定のプログラムを実行することにより、素材データをノンリニア編集する編集処理部として機能する。
【００４６】
図２は、そのような編集処理部８０の機能的な構成例を示している。
【００４７】
図２の編集処理部８０は、再生対象読出部８１、合成部８２、出力部８３、および編集部８４により構成される。なお、各部は、必要に応じて相互にデータを授受することが可能とされている。
【００４８】
再生対象読出部８１は、読出部９１と分離部９２により構成される。
【００４９】
読出部９１は、図１の操作部I/F５５から供給される操作信号に応じて、光ディスクドライブI/F５４を制御し、光ディスクドライブ６５に装着されている光ディスク４３から、クリップの編集の結果を表すエディットリストを読み出して、編集部８４に供給する。また、読出部９１は、光ディスクドライブI/F５４を制御し、光ディスク４３から、プロキシデータ、プロキシデータが付加された素材データなどを読み出して、分離部９２に供給する。
【００５０】
分離部９２は、一時記憶メモリI/F５３を制御し、読出部９１から供給されるプロキシデータを一時記憶メモリ６４のプロキシ領域７２に記憶させる。また、分離部９２は、読出部９１から供給されるプロキシデータが付加された素材データから、素材データを分離する。分離部９２は、一時記憶メモリI/F５３を制御して、分離した素材データを一時記憶メモリ６４の素材領域７１に記憶させる。
【００５１】
合成部８２は、操作部I/F５５から供給される操作信号に応じて、一時記憶メモリI/F５３を制御し、一時記憶メモリ６４の素材領域７１に記憶されている素材データのうちの映像データと、プロキシ領域７２に記憶されているプロキシデータのうちの映像データを読み出す。また、合成部８２は、表示装置４６の表示領域に設けられる２つの画面のうちの一方に素材映像が表示されると同時に、他方にプロキシ映像が表示されるように、読み出した映像データとプロキシデータを合成する。
【００５２】
合成部８２は、合成の結果得られる合成データを映像表示I/F５８に供給する。その結果、表示装置４６の表示領域に設けられる１つの画面に素材映像が表示され、他の１つの画面にプロキシ映像が表示される。なお、以下では、表示装置４６の表示領域に設けられる２つの画面のうち、大きい方の画面を親画面といい、小さい方の画面を子画面という。
【００５３】
出力部８３は、操作部I/F５５から供給される操作信号に応じて、一時記憶メモリI/F５３を制御し、一時記憶メモリ６４の素材領域７１に記憶されている素材データのうちの音声データ、または、プロキシ領域７２に記憶されているプロキシデータのうちの音声データを読み出す。また、出力部８３は、読み出した音声データを音声出力I/F５６に供給し、その音声データに対応する音声をスピーカ４５から出力させる。
【００５４】
編集部８４は、操作部I/F５５から供給される操作信号に応じてエディットリストを作成する。編集部８４は、光ディスクドライブI/F５４を制御し、作成したエディットリストを光ディスク４３に記録させる。
【００５５】
図３は、図１の光ディスク４３に記録されているファイルのディレクトリ構造の例を示している。
【００５６】
図３において、シンボル１２１は、１つのディレクトリを表している。なお、符号は付していないが、シンボル（ディレクトリ）１２１と同一のその他のシンボルも、１つのディレクトリを表している。また、シンボル１２２は、１つのファイルを示している。なお、符号は付していないが、シンボル（ファイル）１２２と同一のその他のシンボルも、１つのファイルを示している。
【００５７】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【００５８】
図３の例では、光ディスク４３には、目次を記述するデータのファイルであり、クリップおよびエディットリストを管理するための情報を記述するインデックスファイル(INDEX.XML)１２２と、光ディスク４３の代表画のパス、光ディスク４３のタイトルやコメントなどから構成されるディスクメタデータのファイルであるディスクメタファイル（DISCMETA.XML）とが設けられている。
【００５９】
また、光ディスク４３には、クリップのうちの素材データ等のファイルが下位に設けられるクリップディレクトリ（Clip）１２１、エディットリストのファイルが下位に設けられるエディットリストディレクトリ（Edit）、および、プロキシデータのファイルが下位に設けられるプロキシディレクトリ（Sub）が設けられている。
【００６０】
クリップディレクトリ(Clip)１２１には、光ディスク４３に記録されているクリップのうちの素材データ、メタデータ等が、クリップ毎に異なるファイルとして記録される。
【００６１】
具体的には、例えば、図３は、光ディスク４３に４つのクリップのデータが記録されている場合の例を示している。
【００６２】
即ち、例えば、クリップディレクトリ１２１の下位には、光ディスク４３に記録された最初のクリップの素材データのファイルである第１のクリップファイル（C0001.MXF）と、このクリップの素材データに対応する、リアルタイム性を要求されないメタデータ（以下、ノンリアルタイムメタデータという）を含むファイルである第１のノンリアルタイムメタデータファイル（C0001M01.XML）とが設けられている。
【００６３】
また、クリップディレクトリ１２１の下位には、第１のクリップファイル（C0001.MXF）および第１のノンリアルタイムメタデータファイル（C0001M01.XML）と同様に、第２のクリップファイル（C0002.MXF）および第２のノンリアルタイムメタデータファイル（C0002M01.XML）、第３のクリップファイル（C0003.MXF）および第３のノンリアルタイムメタデータファイル（C0003M01.XML）、並びに第４のクリップファイル（C0004.MXF）および第４のノンリアルタイムメタデータファイル（C0004M01.XML）が設けられている。
【００６４】
図３において、このようなクリップディレクトリ１２１の下方に示されるエディットディレクトリ（Edit）には、光ディスク４３に記録されているエディットリストが、編集処理ごとに異なるファイルとして記録されている。
【００６５】
例えば、図３の例の場合、エディットディレクトリ（Edit）の下位には、光ディスク４３に記録されたクリップの１回目の編集処理の結果を表すエディットリストを含むファイルであるエディットリストファイル（E0001E01.SMI）と、１回目の編集処理の結果である編集データを構成するすべての編集区間の素材データに対応するメタデータ、または、そのメタデータに基づいて新たに生成されたメタデータを含むファイルであるエディットリスト用メタデータファイル（E0001M01.XML）とが設けられている。
【００６６】
また、図３において、このようなエディットディレクトリ（Edit）の下方に示される、プロキシディレクトリ（Sub）には、光ディスク４３に記録されているクリップのプロキシデータが、クリップ毎に異なるファイルとして記録されている。
【００６７】
例えば、図３の例の場合、プロキシディレクトリ（Sub）の下位には、光ディスク４３に記録された最初のクリップのプロキシデータのファイルである第１のプロキシファイル（C0001S01.MXF）、第２のクリップのプロキシデータのファイルである第２のプロキシファイル（C0002S01.MXF）、第３のクリップのプロキシデータのファイルである第３のプロキシファイル（C0003S01.MXF）、および第４のクリップのプロキシデータのファイルである第４のプロキシファイル（C0004S01.MXF）が設けられる。
【００６８】
さらに、光ディスク４３には、クリップ、エディットリスト、およびプロキシデータ以外のデータのファイルが設けられる一般ディレクトリ（General）が設けられている。
【００６９】
図４は、図３のクリップファイルとプロキシファイルのフォーマットの例を示している。
【００７０】
図４のＡに示すように、クリップファイルとプロキシファイルは、素材データまたはプロキシデータが１クリップ分まとめてボディに配置され、さらに、そのボディにヘッダとフッタが付加されることにより構成される。
【００７１】
ヘッダには、その先頭から、ヘッダパーティションパック(Header Partition Pack)、ヘッダメタデータ(Header Metadata)、インデックステーブル(Index Table)が順次配置される。ヘッダパーティションパックには、ファイルフォーマット(例えば、MXF(Material exchange Format))を表すデータであるパーティションメタデータ、ボディの長さ、ボディの開始位置、ボディに配置されるデータの形式を表すデータなどが配置される。ヘッダメタデータには、例えば、UMID（Unique Material Identifier）、先頭タイムコード、ファイルの作成日、ボディに配置されたデータに関する情報(例えば、映像の画素数、アスペクト比など)などが配置される。
【００７２】
なお、UMIDとは、各クリップをグローバルユニークに識別するためのクリップ固有の識別子であって、SMPTE（Society of Motion Picture and Television Engineers）により定められる識別子を指す。
【００７３】
インデックステーブルには、ボディに配置されたデータを管理するためのデータなどが配置される。フッタは、フッタパーティションパック(Footer Partition Pack)で構成され、フッタパーティションパックには、フッタを特定するためのデータなどが配置される。
【００７４】
図４のＢに示すように、クリップファイルのボディには、１フレーム分のリアルタイム性を要求されるメタデータ(以下、リアルタイムメタデータという)が配置されるシステムアイテム、D10と呼ばれるMPEG(Moving Picture Experts Group) IMX方式で符号化された映像データ、および、AES(Audio Engineering Society)3形式の非圧縮の音声データが、KLV(Key,Length,Value)構造にKLVコーディングされて配置される。
【００７５】
KLV構造とは、その先頭から、キー(Key)、レングス(Length)、バリュー(Value)が順次配置された構造であり、キーには、バリューに配置されるデータがどのようなデータであるかを表す、SMPTE 298Mの規格に準拠した16バイトのラベルが配置される。レングスには、バリューに配置されるデータのデータ長が配置される。バリューには、実データ、即ち、ここでは、システムアイテム、映像データ、または音声データが配置される。
【００７６】
また、KLVコーティングされたシステムアイテム、映像データ、および音声データは、そのデータ長が、KAG(KLV Alignment Grid)を基準とする固定長となっている。そして、KLVコーティングされたシステムアイテム、映像データ、および音声データを固定長とするのに、スタッフィング(stuffing)のためのデータとしてのフィラー(Filler)が、やはりKLV構造とされて、KLVコーティングされたシステムアイテム、映像データ、および音声データのそれぞれの後に配置される。
【００７７】
図４のＣに示すように、プロキシファイルのボディには、所定の再生時間分（例えば、２秒分）の素材データを構成する全フレームのタイムコードが配置されるシステムアイテム、MPEG4方式で圧縮された映像データ、およびG.711方式で符号化された音声データが、上述したKLV構造にKLVコーディングされて配置される。
【００７８】
なお、音声データは、８つのチャネルの音声のデータからなり、２つのチャネルごとに４分割されて配置される。即ち、プロキシファイルのボディには、G.711方式で符号化された音声データが、G.711方式で符号化された１チャネルと２チャネルの音声データ、G.711方式で符号化された３チャネルと４チャネルの音声データ、G.711方式で符号化された５チャネルと６チャネルの音声データ、およびG.711方式で符号化された７チャネルと８チャネルの音声データの４つに分割されて配置される。
【００７９】
次に、図５を参照して、クリップファイルとプロキシファイルのデータの光ディスク４３上の記録位置について説明する。
【００８０】
図５に示すように、光ディスク４３のトラックには、クリップファイルのボディに配置される１クリップ分の映像データおよび音声データ、プロキシファイルのボディに配置されるプロキシデータ、並びに、クリップファイルとプロキシファイルのボディに配置されるシステムアイテムのそれぞれが、所定の再生時間帯（例えば、２秒間）である年輪単位に分割され、多重化されて（インターリーブされて）記録される。
【００８１】
これは、映像と音声の再生を考えた場合、その再生は、映像データとその映像データに付随する音声データが揃わないと行うことができないので、ある再生時間帯の映像データと、その同一再生時間帯の音声データを、光ディスク４３上の近い位置、即ち、例えば、隣接する位置に記録するのが望ましいからである。
【００８２】
従って、光ディスク４３のトラックには、同一の再生時間帯に再生される、年輪単位のプロキシデータ(以下、年輪プロキシデータという)、年輪単位のシステムアイテム（以下、年輪システムアイテムという）、年輪単位の音声データ（以下、年輪音声データという）、および年輪単位の映像データ（以下、年輪映像データという）が順に並べられて構成されるセットが、再生時刻の早い順に記録されていく。
【００８３】
このように、光ディスク４３のトラックには、年輪プロキシデータ、年輪システムアイテム、年輪音声データ、年輪映像データが順にまとめて配置されるので、年輪映像データと年輪音声データを読み出す場合、年輪映像データと年輪音声データだけでなく、その前に配置される年輪プロキシデータと年輪システムアイテムをともに読み出す必要がある。一方、年輪プロキシデータは、セットの最初に配置されるので、単独で読み出すことができる。
【００８４】
なお、セットには、ファイルが正常に終了されなかったときデータを復旧するためのサルベージマーカ（SM）が付加される。
【００８５】
また、１クリップ分の、サルベージマーカが付加されたセット（以下、年輪セットという）の光ディスク４３への記録が終了した後、それに続いて、フッタおよびヘッダが光ディスク４３に記録される。
【００８６】
なお、映像データおよび音声データと、プロキシデータの年輪のサイズは、同一であってもよいし、異なっていてもよい。
【００８７】
図６は、図３のエディットリストファイルのエディットリストの例を示している。
【００８８】
即ち、図６は、XMLで記述されたエディットリストファイルの具体的な記述例を示す図である。なお、図６において、各行頭の数字は、説明の便宜上付加したものであり、XML記述の一部ではない。
【００８９】
エディットリストファイルは、クリップの編集の結果を表す情報であるエディットリストを含むファイルであり、その編集の結果である編集データの再生方法についても記述されている。
【００９０】
図６に示すように、エディットリストファイルのXML記述は、主にボディタグ（<body> </body>）で囲まれるボディ部により構成される。図６の例では、このボディ部は、４乃至１５行目に記述されている。なお、１乃至３行目には、このファイルがプロフェッショナルディスク（Professional Disc）のエディットリスト（edit list）であることを示す情報などが記述されている。
【００９１】
ボディ部には、編集記述の時間的振る舞いと関係する情報が記述される。図６の例では、５行目の開始タグ「<par>」と１４行目の終了タグ「</par>」の間に記述されるpar要素は、時間コンテナであり、複数の要素を同時に再生する単純時間グループを定義する。図６の例では、第１のクリップ（図６の例では、Clip１と記述されており、例えば、図３の第１のクリップファイル（C0001.MXF）のクリップであるとする）と第２のクリップ（図６の例では、Clip2と記述されており、例えば、図３の第２のクリップファイル（C0002.MXF）のクリップであるとする）が同時に再生されるように示されている。
【００９２】
但し、図６の例の場合、後述するように、２つのクリップの再生開始時間が互いにずれており、実際には、この２つのクリップが連続して再生されるように為されている。
【００９３】
図６において、７乃至９行目のref要素には、参照するファイルおよび参照するファイルの再生範囲等が記述されている。７行目の「src="urn:smpte:umid:060A2B340101010501010D431300000070D3020009350597080046020118F454"
」の記述は、参照先のファイルに割り当てられたUMIDが「060A2B340101010501010D431300000070D3020009350597080046020118F454
」であることを示している。
【００９４】
また、８行目の「clipBegin="smpte-30=00:00:00:00"」の記述は、第１のクリップの、再生を開始する位置、即ちイン点を、この第１のクリップのFTC（File Time Code）上で示しており、単位はフレーム数である。なお、このFTCは、各ファイルの先頭フレームの番号を「０」とし、その先頭フレームから順番に、各フレームに割り当てられる相対的な位置情報である。その記述に続く８行目の「clipEnd="smpte-30=00:00:06:00"」の記述は、第１のクリップの再生を終了する位置、即ちアウト点を、この第１のクリップのFTC上で示している。
【００９５】
さらに、その記述に続く８行目の「begin="smpte-30=00:00:00:00"」の記述は、第１のクリップが開始される時刻、すなわち、編集区間の素材データが開始されるエディットリストのFTC上での位置を示しており、単位はフレーム数である。なお、「smpte-30」は、使用するタイムコードが、SMPTEで定義される３０フレーム毎秒のSMPTEタイムコードであることを示す記述である。
【００９６】
また、９行目の「trackSrc="CH1;CH2;CH3;CH4"」の記述は、第１のクリップに含まれる１チャネル乃至８チャネルの音声データのうち、再生対象とする音声データに対応するチャネル（以下、再生チャネルという）を示している。その記述に続く９行目の「trackDst="CH1;CH2;CH3;CH4"」の記述は、再生チャネルの音声データを、どのチャネルの音声データとして出力するか、即ち、各再生チャネルの音声データを出力するチャネル（以下、出力チャネルという）を示している。
【００９７】
以上のように、図６の例では、第１のクリップは、時刻「00:00:00:00」に、フレーム番号「00:00:00:00」の位置から再生が開始され、フレーム番号「00:00:06:00」の位置まで再生されることが、エディットリストに記述されている。なお、このとき、第１のクリップに含まれる１チャネル乃至８チャネルの音声データのうち、１チャネル乃至４チャネルの音声データが、そのままのチャネルの音声データとして再生される。
【００９８】
また、第２のクリップについても、１１行目乃至１３行目において、第１のクリップの場合と同様に記述されている。図６の例では、第２のクリップは、時刻「00:00:06:00」に、フレーム番号「00:00:00:00」の位置から再生され、フレーム番号「00:00:04:00」の位置まで再生されることが、エディットリストに記述されている。なお、このときも、第１のクリップの場合と同様に、第２のクリップに含まれる１チャネル乃至８チャネルの音声データのうち、１チャネル乃至４チャネルの音声データが、そのままのチャネルの音声データとして再生される。
【００９９】
そして、図６のエディットリストにおいては、以上のような第１のクリップの再生と第２のクリップの再生がpar要素により、同時に行われるように指定されている。従って、結果として、時刻「00:00:00:00」に、第１のクリップがフレーム番号「00:00:00:00」の位置からフレーム番号「00:00:06:00」の位置まで再生される。これにより、時刻「00:00:06:00」になると、今度は、第２のクリップがフレーム番号「00:00:00:00」の位置からフレーム番号「00:00:04:00」の位置まで再生される。以上のように、図６に示すエディットリストにおいては、第１のクリップと第２のクリップが、連続して再生されるように編集されていることが示されている。
【０１００】
換言すると、図６のエディットリストは、第１のクリップ（Clip1）を６秒再生し、その後に第２のクリップ（Clip2）を４秒再生することを示している。
【０１０１】
なお、図６において、各データを示すUMIDの例が上述したように記述してあるが、これらは、エディットリスト内のUMIDの記述位置等を示すだけのものであり、それらの値が意味を持たない仮想のUMIDである。即ち、図６に記載されているUMIDは、実際のUMIDとは異なる意味の無いシンボルの組合せであり、実際には、SMPTEの定める方法に基づいて作成された正当なUMIDが上述した仮想UMIDの代わりに各位置に記述される。
【０１０２】
次に、図７を参照して、図１の表示装置４６の表示領域に設けられる親画面と子画面について説明する。
【０１０３】
図７の例では、表示装置４６の表示領域１４０全体に親画面１４１が設けられ、親画面１４１の右下側に子画面１４２が設けられている。親画面１４１には、素材映像が表示され、子画面１４２には、プロキシ映像が表示される。
【０１０４】
図８は、図１の操作部４４のうちの、ユーザによる編集に関する操作を受け付ける編集操作部１６０の操作面を示している。
【０１０５】
図８の編集操作部１６０の上面には、図中左上側に、エディットリストの作成に関する操作を受け付ける操作ボタンが配置されるエディット領域１６１が設けられ、そのエディット領域１６１の図中下側には、表示に関する操作を受け付ける操作ボタンが配置されるディスプレイ領域１６２が設けられている。また、エディット領域１６１とディスプレイ領域１６２の図中右側には、再生に関する操作を受け付ける操作ボタンが配置される再生制御領域１６３が設けられている。
【０１０６】
エディット領域１６１には、入力（ENTRY）ボタン１７１、削除(DELETE)ボタン１７２、イン点（IN）ボタン１７３、アウト点（OUT）ボタン１７４、および開始終了（START/STOP）ボタンが配置される。
【０１０７】
入力ボタン１７１は、親画面１４１に表示される素材映像、または、子画面１４２に表示されるプロキシ映像のFTCをイン点として指定するときに、イン点ボタン１７３と同時に押下される。また、入力ボタン１７１は、親画面１４１に表示される素材映像、または、子画面１４２に表示されるプロキシ映像のFTCをアウト点として指定するときに、アウト点ボタン１７４と同時に押下される。
【０１０８】
削除ボタン１７２は、後述する再生制御対象のFTC付近のイン点の記述をエディットリストから削除するときに、イン点ボタン１７３と同時に押下される。また、削除ボタン１７２は、後述する再生制御対象のFTC付近のアウト点の記述をエディットリストから削除するときに、アウト点ボタン１７４と同時に押下される。開始終了ボタン１７５は、編集処理を開始または終了するときに、押下される。
【０１０９】
ディスプレイ領域１６２には、ピクチャインピクチャ（P-IN-P）ボタン１８１とサブメイン（SUBMAIN）ボタン１８２が配置される。
【０１１０】
ピクチャインピクチャボタン１８１は、ピクチャインピクチャ表示を開始または終了するとき、押下される。なお、ピクチャインピクチャ表示とは、親画面１４１と子画面１４２に同時に映像を表示させることである。サブメインボタン１８２は、子画面１４２に表示されているプロキシ映像のFTCと同一のFTCに対応する素材映像の、親画面１４１への表示を指令するとき、押下される。
【０１１１】
再生制御領域１６３には、メイン（MAIN）ボタン１９１、サブ（SUB）ボタン１９２、巻き戻し（REW）ボタン１９３、停止（STOP）ボタン１９４、再生（PLAY）ボタン１９５、早送り（FF）ボタン１９６、ダイヤル１９７、ジョグシャトル（JOG/SHUTTLE）モードボタン１９８、前（PREV）ボタン１９９、および次(NEXT)２００ボタンが設けられる。
【０１１２】
メインボタン１９１は、親画面１４１に表示される素材映像の素材データを、巻き戻しボタン１９３、停止ボタン１９４、再生ボタン１９５、早送りボタン１９６、ダイヤル１９７、ジョグシャトルモードボタン１９８、前ボタン１９９、および次ボタン２００（以下では、これらを総称して再生制御ボタンという）の操作に対応する処理の対象（以下、再生制御対象という）とするときに、押下される。
【０１１３】
サブボタン１９２は、子画面１４２に表示されるプロキシ映像のプロキシデータを再生制御対象とするときに、押下される。なお、メインボタン１９１とサブボタン１９２の内部には、LEDなどの発光素子（図示せず）が設けられ、メインボタン１９１またはサブボタン１９２が押下されたとき、その内部に設けられた発光素子が点灯する。
【０１１４】
巻き戻しボタン１９３は、再生制御対象を巻き戻し再生するとき、押下される。停止ボタン１９４は、再生制御対象の再生を停止するとき、押下される。再生ボタン１９５は、再生制御対象を１倍速で再生するとき、押下される。早送りボタン１９６は、再生制御対象を早送り再生するとき、押下される。
【０１１５】
ダイヤル１９７は、再生制御対象の再生位置を移動させるときに、円周方向に回転操作される。例えば、ユーザは、ダイヤル１９７を円周に沿って時計回りに回転操作することにより、再生位置の後方への移動を指示したり、ダイヤル１９７を円周に沿って半時計周りに回転操作することにより、再生位置の前方への移動を指示する。
【０１１６】
ジョグシャトルモードボタン１９８は、ダイヤル１９７のモードをジョグモードまたはシャトルモードに設定するときに、押下される。なお、ジョグモードとは、ダイヤル１９７の操作位置の移動に応じて再生位置を移動させるモードであり、シャトルモードとは、ダイヤル１９７の操作位置の移動に応じて再生速度を変化させるモードである。
【０１１７】
前ボタン１９９は、再生制御対象に対応するクリップの１つ前のクリップの先頭のFTCに再生位置を移動させるときに、押下される。次ボタン２００は、再生制御対象に対応するクリップの１つ次のクリップの先頭のFTCに再生位置を移動させるときに、操作される。
【０１１８】
次に、図９乃至図１１を参照して、ユーザが、図８の編集操作部１６０を用いて行う編集作業について説明する。
【０１１９】
図９乃至図１１の表では、編集作業のステップの番号に対応付けて、そのステップにおける編集作業の内容、編集操作部１６０に対する操作の内容、および光ディスク装置１０による編集処理の内容が記述されている。
【０１２０】
図９に示すように、ステップＳ１において、ユーザは、開始終了ボタン１７５を押下して、編集処理の開始を指令する。このとき、光ディスク装置１０は、エディットリストを作成する。
【０１２１】
ステップＳ２において、ユーザは、先頭のサブクリップとする素材データに対応するクリップを検索する。なお、サブクリップとは、クリップ単位の編集区間の素材データである。
【０１２２】
ステップＳ２では、具体的には、ユーザは、まず最初に、サブボタン１９２を押下する。このとき、光ディスク装置１０は、サブボタン１９２の内部に設けられた発光素子を点灯させ、再生制御対象を子画面１４２に表示されるプロキシ映像のプロキシデータとする。
【０１２３】
次に、ユーザは、先頭のサブクリップとする素材データに対応するクリップの先頭のプロキシ映像が子画面１４２に表示されるまで、前ボタン１９９または次ボタン２００を押下する。
【０１２４】
即ち、ユーザが、前ボタン１９９または次ボタン２００を押下すると、光ディスク装置１０は、子画面１４２に表示されるプロキシ映像の再生位置(以下、子画面再生位置という)を１つ前のクリップの先頭のFTCまたは次のクリップの先頭のFTCに移動させ、その子画面再生位置のプロキシ映像を、子画面１４２に表示させる。従って、ユーザは、子画面１４２に表示されるプロキシ映像を見ながら、前ボタン１９９または次ボタン２００を押下して、子画面再生位置を所望のクリップの先頭のFTCに移動させることにより、先頭のサブクリップとする素材データに対応するクリップの先頭のプロキシ映像を表示させる。
【０１２５】
ステップＳ３において、ユーザは、再生制御ボタンを操作することにより、イン点を大まかに検索する。
【０１２６】
即ち、ユーザが再生制御ボタンを操作すると、光ディスク装置１０は、その操作に応じて、再生制御対象である、子画面１４２に表示されるプロキシ映像のプロキシデータの再生を制御する。つまり、光ディスク装置１０は、再生制御ボタンの操作に対応して子画面再生位置を移動させる。従って、ユーザは、再生制御ボタンを操作して、子画面再生位置として所望のFTCを指定し、そのFTCに子画面再生位置を移動させることにより、イン点として大まかに設定するFTCに対応するプロキシ映像を子画面１４２に表示させる。
【０１２７】
ステップＳ４において、ユーザは、イン点ボタン１７３と入力ボタン１７１を同時に押下することにより、イン点を仮決めする。このとき、光ディスク装置１０は、イン点ボタン１７３と入力ボタン１７１の押下時に子画面１４２に表示されているプロキシ映像のFTCよりも、予め設定された設定時間前のFTCをイン点として、そのエディットリストに記述する。また、光ディスク装置１０は、そのイン点に対応するアウト点として、子画面１４２に表示されているプロキシ映像に対応するクリップの終端のFTCをエディットリストに記述する。
【０１２８】
なお、設定時間は、例えばユーザにより設定される。具体的には、ユーザは、まず最初に、操作部１６０に設けられた図示せぬメニューボタンを押下して、設定時間を設定するための設定画面を表示装置４６に表示させる。次に、ユーザは、設定画面に表示される時間を見ながら、前ボタン１９９または次ボタン２００を操作して、設定画面に表示されている時間を表す数字のうち、変更対象とする数字の桁を上位または下位に移動させる。そして、ユーザは、ダイヤル１９７を操作して、その桁の数字を変更する。設定画面に所望の時間が表示されるまで、ユーザは、変更対象とする数字の桁の移動と、その桁の数字の変更を繰り返し行い、その後、再度メニューボタンを押下することにより、そのとき設定画面に表示されている時間を設定時間として設定する。
【０１２９】
ステップＳ５において、ユーザは、サブメインボタン１８２を押下することにより、先頭のサブクリップの映像を親画面１４１に表示させる。このとき、光ディスク装置１０は、メインボタン１９１の内部に設けられた発光素子を点灯させ、サブボタン１９２の内部に設けられた発光素子を消灯させ、再生制御対象を親画面１４１に表示される素材映像の素材データとする。
【０１３０】
また、光ディスク装置１０は、子画面１４２に表示されているプロキシ映像のFTCと同一のFTCを、親画面１４１に表示される素材映像の再生位置(以下、親画面再生位置という)として、その親画面再生位置の素材データに基づいて、素材映像を親画面１４１に表示させる。その結果、親画面１４１には、子画面１４２に表示されるプロキシ映像のフレームと同一のフレームの素材映像が表示される。
【０１３１】
次に、図１０のステップＳ６において、ユーザは、再生制御ボタンを操作することにより、精密にイン点を検索する。即ち、ユーザが再生制御ボタンを操作すると、光ディスク装置１０は、その操作に応じて、再生制御対象である、親画面１４１に表示される素材映像の素材データの再生を制御する。つまり、光ディスク装置１０は、再生制御ボタンの操作に対応して、親画面再生位置を移動させる。
【０１３２】
従って、ユーザは、再生制御ボタンを操作して、親画面再生位置として所望のFTCを指定し、そのFTCに親画面再生位置を移動させることにより、イン点として精密に設定するFTCに対応する素材映像を子画面１４２に表示させる。なお、このとき、親画面再生位置の移動範囲は、直前のステップＳ４（図９）でエディットリストに記述されたイン点からアウト点までの範囲内に制限される。
【０１３３】
ステップＳ７において、ユーザは、イン点ボタン１７３と入力ボタン１７１を同時に押下することにより、イン点を決定する。このとき、光ディスク装置１０は、直前のステップＳ４でエディットリストに記述されたイン点を、イン点ボタン１７３と入力ボタン１７１の押下時に親画面１４１に表示されている素材映像のFTCに変更する。
【０１３４】
ステップＳ８において、ユーザは、必要に応じてイン点を修正する。具体的には、ユーザは、まず最初に、再生制御ボタンを操作して、修正対象とするイン点付近のFTCに対応する素材映像を親画面１４１に表示させる。
【０１３５】
即ち、光ディスク装置１０は、再生制御ボタンの操作に応じて、再生対象である、親画面１４１に表示される素材映像の素材データの再生を制御することにより、修正対象とするイン点付近のFTCに対応する素材映像を親画面１４１に表示させる。なお、このとき、親画面再生位置の移動範囲は、直前のステップＳ７でエディットリストに記述されたイン点から、図９のステップＳ４でエディットリストに記述されたアウト点までの範囲内に制限される。
【０１３６】
次に、ユーザは、イン点ボタン１７３と削除ボタン１７２を同時に押下する。このとき、光ディスク装置１０は、いま親画面１４１に表示されている素材映像のFTC付近のイン点の記述をエディットリストから削除し、図９のステップＳ４でイン点として記述されたFTCを再度イン点として記述する。その後、ユーザは、ステップＳ６およびステップＳ７の操作と同様の操作を行う。なお、ユーザは、所望のイン点がエディットリストに記述されるまで、ステップＳ８の作業を繰り返す。
【０１３７】
ステップＳ９において、ユーザは、サブボタン１９２を押下することにより、子画面１４２に表示されているプロキシ映像のプロキシデータを再生制御対象とする。このとき、光ディスク装置１０は、サブボタン１９２の内部に設けられた発光素子を点灯させ、メインボタン１９１の内部に設けられた発光素子を消灯させる。
【０１３８】
ステップＳ１０において、ユーザは、図９のステップＳ３と同様に、再生制御ボタンを操作することにより、アウト点を大まかに検索する。ステップＳ１１において、ユーザは、アウト点ボタン１７４と入力ボタン１７１を同時に押下することにより、アウト点を仮決めする。このとき、光ディスク装置１０は、図９のステップＳ４でエディットリストに記述されたアウト点を、アウト点ボタン１７４と入力ボタン１７１の押下時に子画面１４２に表示されているプロキシ映像のFTCよりも、予め設定された設定時間後のFTCに変更する。
【０１３９】
次に、図１１のステップＳ１２において、ユーザは、図９のステップＳ５と同様に、サブメインボタン１８２を押下することにより、先頭のサブクリップの映像を親画面１４１に表示させる。ステップＳ１３において、ユーザは、図１０のステップＳ６と同様に、再生制御ボタンを操作することにより、精密にアウト点を検索する。
【０１４０】
ステップＳ１４において、ユーザは、アウト点ボタン１７４と入力ボタン１７１を同時に押下することにより、アウト点を決定する。このとき、光ディスク装置１０は、直前のステップＳ１１（図１０）でエディットリストに記述されたアウト点を、アウト点ボタン１７４と入力ボタン１７１の押下時に親画面１４１に表示されている素材映像のFTCに変更する。
【０１４１】
ステップＳ１５において、ユーザは、必要に応じてアウト点を修正する。具体的には、ユーザは、まず最初に、図１０のステップＳ８と同様に、再生制御ボタンを操作して、修正対象とするアウト点付近のFTCに対応する素材映像を親画面１４１に表示させる。なお、このとき、親画面再生位置の移動範囲は、直前のステップＳ７でエディットリストに記述されたイン点から、直前のステップＳ１４でエディットリストに記述されたアウト点までの範囲内に制限される。
【０１４２】
次に、ユーザは、アウト点ボタン１７４と削除ボタン１７２を同時に押下する。このとき、光ディスク装置１０は、いま親画面１４１に表示されている素材映像のFTC付近のアウト点の記述をエディットリストから削除し、図１０のステップＳ１１でアウト点として記述されたFTCを再度アウト点として記述する。その後、ユーザは、ステップＳ１３およびＳ１４の操作と同様の操作を行う。なお、ユーザは、所望のアウト点がエディットリストに記述されるまで、ステップＳ１５の作業を繰り返す。
【０１４３】
ユーザは、以上の編集作業を繰り返し行うことにより、光ディスク４３に記録されている素材データのノンリニア編集を行う。その結果、エディットリストには、編集データを構成するすべてのサブクリップのイン点とアウト点が記述される。
【０１４４】
次に、図１２乃至図１６を参照して、図１の光ディスク装置１０が素材データのノンリニア編集を行う編集処理の詳細について説明する。この編集処理は、例えば、ユーザにより開始終了ボタン１７５（図８）が押下されたとき、開始される。
【０１４５】
なお、編集処理が開始されるとき、子画面再生位置と親画面再生位置は、予め設定された所定の位置（例えば、最初のクリップの先頭のFTC）に設定されている。
【０１４６】
ステップＳ３１において、編集部８４は、エディットリストを作成する。編集部８４は、光ディスクドライブI/F５４（図１）を制御し、そのエディットリストをエディットリストファイルとして、光ディスク４３に記録させる。
【０１４７】
ステップＳ３２において、読出部９１は、ユーザによりサブボタン１９２が押下されたかどうか、即ち、操作部I/F５５から、ユーザによるサブボタン１９２の押下を表す操作信号が供給されたかどうかを判定し、サブボタン１９２が押下されていないと判定した場合、サブボタン１９２が押下されるまで待機する。
【０１４８】
一方、ステップＳ３２において、サブボタン１９２が押下されたと判定された場合、ステップＳ３３において、読出部９１は、操作部I/F５５を制御し、サブボタン１９２の内部に設けられた発光素子を点灯させる。このとき、読出部９１は、再生制御対象を、子画面１４２に表示されるプロキシ映像のプロキシデータとする。
【０１４９】
ステップＳ３４において、読出部９１は、ユーザにより前ボタン１９９または次ボタン２００が押下されたかどうかを判定し、押下されたと判定した場合、ステップＳ３５において、読出部９１は、現在設定されている子画面再生位置に対応するクリップの１つ前または次のクリップの先頭のFTCを、新たな子画面再生位置として設定する。そして、処理はステップＳ３８に進む。
【０１５０】
一方、ステップＳ３４において、ユーザにより前ボタン１９９または次ボタン２００が押下されていないと判定した場合、ステップＳ３６において、読出部９１は、ユーザにより再生制御ボタンが操作されたかどうかを判定する。
【０１５１】
ステップＳ３６において、ユーザにより再生制御ボタンが操作されたと判定された場合、ステップＳ３７において、読出部９１は、再生制御ボタンの操作に応じて、プロキシデータの再生を制御する。具体的には、読出部９１は、再生制御ボタンの操作に応じて、子画面再生位置を設定する。例えば、読出部９１は、再生制御ボタンである再生ボタン１９５の操作に応じて、現在の子画面再生位置の次のフレームを、新たな子画面再生位置として設定する。そして、処理はステップＳ３８に進む。
【０１５２】
ステップＳ３８において、再生対象読出部８１は、子画面再生位置のプロキシデータを読み出す。具体的には、再生対象読出部８１の読出部９１は、光ディスク４３から、子画面再生位置のプロキシデータを含む年輪セットの年輪プロキシデータを読み出し、分離部９２に供給する。分離部９２は、読出部９１から供給される年輪プロキシデータを、プロキシ領域７２（図１）に記憶させる。
【０１５３】
ステップＳ３９において、合成部８２は、素材領域７１から親画面再生位置の素材データのうちの映像データを読み出すとともに、プロキシ領域７２から子画面再生位置のプロキシデータのうちの映像データを読み出し、親画面１４１に素材映像が表示されると同時に、子画面１４２にプロキシ映像が表示されるように、その素材データとプロキシデータのうちの映像データを合成する。そして、合成部８２は、合成データを映像表示I/F５８に供給する。
【０１５４】
ステップＳ４０において、映像表示I/F５８は、合成部８２からの合成データに基づいて、親画面再生位置の素材映像を親画面１４１に表示させるとともに、子画面再生位置のプロキシ映像を子画面１４２に表示させる。なお、このとき、出力部８３は、プロキシ領域７２から子画面再生位置のプロキシデータのうちの音声データを読み出し、音声出力I/F５６を介してスピーカ４５に供給することにより、その音声データに基づく音声を出力させる。即ち、出力部８３は、再生制御対象に対応する音声をスピーカ４５から出力させる。
【０１５５】
ステップＳ４１において、編集部８４は、ユーザによりイン点ボタン１７３と入力ボタン１７１が同時に押下されたかどうかを判定する。ステップＳ４１において、イン点ボタン１７３と入力ボタン１７１が同時に押下されていないと判定した場合、処理はステップＳ３４に戻り、上述した処理が繰り返される。
【０１５６】
一方、ステップＳ４１において、イン点ボタン１７３と入力ボタン１７１が同時に押下されたと判定された場合、図１３のステップＳ４２において、編集部８４は、子画面１４２に表示されているプロキシ映像のFTCよりも、予め設定された設定時間前のFTCをイン点として、ステップＳ３１で作成されたエディットリストに記述する。
【０１５７】
具体的には、編集部８４は、現在設定されている子画面再生位置を表す情報を読出部９１から取得し、その情報が表す子画面再生位置よりも設定時間前のFTCをイン点として、エディットリストに記述する。また、このとき、編集部８４は、子画面再生位置のプロキシデータに対応するクリップのUMID、記述されたイン点に対応する編集区間の素材データが開始されるエディットリストのFTC上での位置、再生チャネル、および出力チャネルに関する記述も行う。
【０１５８】
なお、ここでは、再生チャネルと出力チャネルは、１チャネル乃至４チャネルに予め決められているものとするが、ユーザが再生チャネルと出力チャネルを決定するようにしてもよい。この場合、例えば、編集操作部１６０には、再生チャネルと出力チャネルを設定するボタンが設けられる。
【０１５９】
ステップＳ４３において、編集部８４は、子画面１４２に表示されているプロキシ映像に対応するクリップの終端のFTCをアウト点として、エディットリストに記述する。ステップＳ４４において、読出部９１は、サブメインボタン１８２が押下されたかどうかを判定し、サブメインボタン１８２が押下されていないと判定された場合、サブメインボタン１８２が押下されるまで待機する。
【０１６０】
一方、ステップＳ４４において、サブメインボタン１８２が押下されたと判定された場合、ステップＳ４５において、読出部９１は、操作部I/F５５を制御し、メインボタン１９１の内部に設けられた発光素子を点灯させ、サブボタン１９２の内部に設けられた発光素子を消灯させる。このとき、読出部９１は、親画面再生位置を子画面再生位置と同一の位置に設定し、再生制御対象を親画面１４１に表示される素材映像の素材データとする。
【０１６１】
ステップＳ４６において、再生対象読出部８１は、光ディスク４３から、いま子画面１４２に表示されているプロキシ映像のFTCと同一のFTCの素材データを読み出す。具体的には、読出部９１は、光ディスク４３から、子画面再生位置と同一の位置に設定された親画面再生位置の素材データを含む年輪セットを読み出し、分離部９２に供給する。分離部９２は、読出部９１から供給される年輪セットから年輪映像データと年輪音声データを分離する。分離部９２は、一時記憶メモリI/F５３を制御し、その年輪映像データと年輪音声データを一時記憶メモリ６４の素材領域７１に記憶させる。
【０１６２】
ステップＳ４７において、合成部８２は、図１２のステップＳ３９の処理と同様に、素材領域７１から親画面再生位置の素材データのうちの映像データを読み出すとともに、プロキシ領域７２から子画面再生位置のプロキシデータのうちの映像データを読み出し、その素材データとプロキシデータのうちの映像データを合成する。そして、合成部８２は、合成データを映像表示I/F５８に供給する。
【０１６３】
ステップＳ４８において、映像表示I/F５８は、図１２のステップＳ４０と同様に、合成部８２からの合成データに基づいて、親画面再生位置の素材映像を親画面１４１に表示させるとともに、子画面再生位置のプロキシ映像を子画面１４２に表示させる。このとき、出力部８３は、親画面１４１に表示される素材映像に対応する音声をスピーカ４５から出力させる。
【０１６４】
なお、素材データが素材領域７１に記憶されるまでの間、合成部８２は、プロキシ領域７２に記憶されている子画面再生位置と親画面再生位置のプロキシデータの映像データを読み出し、その映像データを合成する。これにより、親画面１４１には、子画面１４２と同一のプロキシ映像が表示される。このように、素材データが記憶されるまでの間、プロキシ映像を表示させる方法の詳細については、例えば、特開2004-135241号公報に記載されている。
【０１６５】
ステップＳ４９において、読出部９１は、図１２のステップＳ３６の処理と同様に、ユーザにより再生制御ボタンが操作されたかどうかを判定し、再生制御ボタンが操作されていないと判定された場合、処理は、ステップＳ５０乃至Ｓ５３をスキップして、ステップＳ５４に進む。
【０１６６】
一方、ステップＳ４９において、再生制御ボタンが操作されたと判定された場合、ステップＳ５０において、読出部９１は、再生制御ボタンの操作に応じて、素材データの再生を制御する。具体的には、読出部９１は、再生制御ボタンの操作に応じて、親画面再生位置を設定する。なお、親画面再生位置の移動範囲は、ステップＳ４２またはＳ４３で記述されたイン点からアウト点までの範囲内に制限される。
【０１６７】
ステップＳ５１において、再生対象読出部８１は、光ディスク４３から、ステップＳ５０で設定された親画面再生位置の素材データを読み出す。具体的には、再生対象読出部８１の読出部９１は、光ディスク４３から、親画面再生位置の素材データを含む年輪セットを読み出し、分離部９２に供給する。分離部９２は、読出部９１から供給される年輪セットから素材データを分離し、その素材データを一時記憶メモリ６４の素材領域７１に記憶させる。
【０１６８】
なお、再生速度が高速である場合は、再生対象読出部８１は、親画面再生位置の素材データではなく、親画面再生位置のプロキシデータを読み出す。
【０１６９】
ステップＳ５２において、合成部８２は、ステップＳ４７の処理と同様に、素材領域７１から親画面再生位置の素材データのうちの映像データを読み出すとともに、プロキシ領域７２から子画面再生位置のプロキシデータのうちの映像データを読み出し、その素材データとプロキシデータのうちの映像データを合成する。そして、合成部８２は、合成データを映像表示I/F５８に供給する。
【０１７０】
ステップＳ５３において、映像表示I/F５８は、ステップＳ４８と同様に、合成部８２からの合成データに基づいて、親画面再生位置の素材映像を親画面１４１に表示させるとともに、子画面再生位置のプロキシ映像を子画面１４２に表示させる。このとき、出力部８３は、親画面１４１に表示される素材映像に対応する音声をスピーカ４５から出力させる。
【０１７１】
ステップＳ５４において、編集部８４は、図１２のステップＳ４１と同様に、ユーザによりイン点ボタン１７３と入力ボタン１７１が同時に押下されたかどうかを判定し、イン点ボタン１７３と入力ボタン１７１が同時に押下されていないと判定した場合、処理はステップＳ４９に戻り、上述した処理が繰り返される。
【０１７２】
一方、ステップＳ５４において、ユーザによりイン点ボタン１７３と入力ボタン１７１が同時に押下されたと判定された場合、図１４のステップＳ５５において、編集部８４は、図１３のステップＳ４２または前回のステップＳ５５でエディットリストに記述されたイン点を、いま親画面１４１に表示されている素材映像のFTCに変更する。具体的には、編集部８４は、読出部９１から、現在設定されている親画面再生位置を表す情報を取得し、その情報が表す親画面再生位置を、新たなイン点としてエディットリストに記述する。
【０１７３】
ステップＳ５６において、読出部９１は、図１２のステップＳ３２の処理と同様に、ユーザによりサブボタン１９２が押下されたかどうかを判定し、サブボタン１９２が押下されていないと判定した場合、処理はステップＳ５７に進む。
【０１７４】
ステップＳ５７乃至Ｓ６１の処理は、図１３のステップＳ４９乃至Ｓ５３の処理と同様であるので、説明は省略する。
【０１７５】
なお、ステップＳ６８では、合成部８２が、親画面再生位置、即ちステップＳ５５でエディットリストに記述されたイン点の素材データのうちの映像データと、子画面再生位置のプロキシデータのうちの映像データを合成する。その結果、親画面１４１には、イン点の素材映像が表示され、子画面１４２には、ユーザの再生制御ボタンの操作に応じて設定される子画面再生位置のプロキシ映像が表示される。従って、ユーザは、イン点に対応する素材映像を見ながら、再生制御ボタンを操作することにより、そのイン点に接続されるアウト点として設定するFTCに対応するプロキシ映像を検索することができる。よって、ユーザの操作性は向上する。
【０１７６】
ステップＳ６２において、編集部８４は、ユーザによりイン点ボタン１７３と削除ボタン１７２が同時に押下されたかどうかを判定し、イン点ボタン１７３と削除ボタン１７２が押下されていないと判定された場合、処理はステップＳ５６に戻り、上述した処理が繰り返される。
【０１７７】
一方、ステップＳ６２において、ユーザによりイン点ボタン１７３と削除ボタン１７２が同時に押下されたと判定された場合、ステップＳ６３において、編集部８４は、エディットリストから、いま親画面１４１に表示されている素材映像のFTC付近のイン点の記述を削除する。具体的には、編集部８４は、読出部９１から現在設定されている親画面再生位置を表す情報を取得し、その情報が表す親画面再生位置付近のイン点の記述を、エディットリストから検索し、その記述を削除する。そして、処理は図１３のステップＳ４９に戻り、上述した処理が繰り返される。その結果、エディットリストに記述されるイン点が修正される。
【０１７８】
また、ステップＳ５６において、サブボタン１９２が押下されたと判定された場合、ステップＳ６４において、読出部９１は、操作部I/F５５を制御し、サブボタン１９２の内部に設けられた発光素子を点灯させ、メインボタン１９１の内部に設けられた発光素子を消灯させる。このとき、読出部９１は、再生制御対象を、子画面１４２に表示されているプロキシ映像のプロキシデータとする。
【０１７９】
ステップＳ６５乃至Ｓ６９の処理は、図１２のステップＳ３６乃至Ｓ４０の処理と同様であるので、説明は省略する。ステップＳ７０において、編集部８４は、ユーザによりアウト点ボタン１７４と入力ボタン１７１が同時に押下されたかどうかを判定する。ステップＳ７０において、アウト点ボタン１７４と入力ボタン１７１が同時に押下されていないと判定した場合、処理はステップＳ６５に戻り、上述した処理が繰り返される。
【０１８０】
一方、ステップＳ７０において、アウト点ボタン１７４と入力ボタン１７１が同時に押下されたと判定された場合、ステップＳ７１において、編集部８４は、図１３のステップＳ４３でエディットリストに記述されたアウト点を、いま子画面１４２に表示されているプロキシ映像のFTCより予め設定された設定時間後のFTCに変更する。
【０１８１】
ステップＳ７２乃至Ｓ８１の処理は、図１３のステップＳ４４乃至Ｓ５３の処理と同様であるので、説明は省略する。
【０１８２】
ステップＳ８２において、編集部８４は、ユーザによりアウト点ボタン１７４と入力ボタン１７１が同時に押下されたかどうかを判定し、アウト点ボタン１７４と入力ボタン１７１が同時に押下されていないと判定した場合、処理はステップＳ７７に戻り、上述した処理が繰り返される。
【０１８３】
一方、ステップＳ８２において、ユーザによりアウト点ボタン１７４と入力ボタン１７１が同時に押下されたと判定された場合、ステップＳ８３において、編集部８４は、図１４のステップＳ７１または前回のステップＳ８３で変更されたアウト点を、いま親画面１４１に表示されている映像のFTCに変更する。
【０１８４】
ステップＳ８４において、編集部８４は、編集処理を終了するかどうか、即ち、ユーザにより開始終了ボタン１７５が押下されたかどうかを判定し、編集処理を終了すると判定した場合、処理は終了する。
【０１８５】
一方、ステップＳ８４において、編集処理を終了しないと判定された場合、図１６のステップＳ８５において、読出部９１は、図１４のステップＳ５６と同様に、ユーザによりサブボタン１９２が押下されたかどうかを判定する。ステップＳ８５において、サブボタン１９２が押下されたと判定された場合、処理は、図１２のステップＳ３３に戻り、上述した処理が繰り返される。
【０１８６】
なお、このとき、ステップＳ３９では、合成部８２が、親画面再生位置、即ちステップＳ８３でエディットリストに記述されたアウト点の素材データのうちの映像データと、子画面再生位置のプロキシデータのうちの映像データを合成する。その結果、親画面１４１には、アウト点の素材映像が表示され、子画面１４２には、ユーザの前ボタン１９９または次ボタン２００、もしくは再生制御ボタンの操作に応じて設定される子画面再生位置のプロキシ映像が表示される。従って、ユーザは、アウト点に対応する素材映像を見ながら、前ボタン１９９または次ボタン２００、もしくは再生制御ボタンを操作することにより、そのアウト点に接続されるイン点として設定するFTCに対応するプロキシ映像を検索することができる。よって、ユーザの操作性は向上する。
【０１８７】
一方、ステップＳ８５において、サブボタン１９２が押下されていないと判定された場合、処理は図１６のステップＳ８６に進む。ステップＳ８６乃至Ｓ９０の処理は、図１４のステップＳ５７乃至Ｓ６１の処理と同様であるので、説明は省略する。
【０１８８】
ステップＳ９１において、編集部８４は、ユーザによりアウト点ボタン１７４と削除ボタン１７２が同時に押下されたかどうかを判定する。ステップＳ９１において、アウト点ボタン１７４と削除ボタン１７２が押下されていないと判定された場合、処理はステップＳ８５に戻り、上述した処理が繰り返される。
【０１８９】
一方、ステップＳ９１において、ユーザによりアウト点ボタン１７４と削除ボタン１７２が同時に押下されたと判定された場合、ステップＳ９２において、編集部８４は、エディットリストから、いま親画面１４１に表示されている素材映像のFTC付近のアウト点の記述を削除する。そして、処理は図１５のステップＳ７７に戻り、上述した処理が繰り返される。その結果、エディットリストに記述されるアウト点が修正される。
【０１９０】
なお、親画面１４１と子画面１４２のサイズは、異なっていてもよいし、同一であってもよい。また、表示装置４６に設けられる編集映像が同時に表示される画面の数は、２以上であってもよい。さらに、親画面１４１と子画面１４２の両方に素材映像を表示させたり、両方にプロキシ映像を表示させるようにしてもよい。
【０１９１】
さらに、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９２】
また、本発明の実施の形態は、上述した実施の形態に限定されるものではなく、本発明の要旨を逸脱しない範囲において種々の変更が可能である。
【図面の簡単な説明】
【０１９３】
【図１】本発明を適用した光ディスク装置の一実施の形態の構成例を示すブロック図である。
【図２】編集処理部の機能的な構成例を示すブロック図である。
【図３】光ディスクに記録されているファイルのディレクトリ構造の例を示す図である。
【図４】クリップファイルとプロキシファイルのフォーマットの例を示す図である。
【図５】クリップファイルとプロキシファイルのデータの光ディスク上の記録位置について説明する図である。
【図６】エディットリストファイルのエディットリストの例を示す図である。
【図７】表示装置の表示領域に設けられる親画面と子画面について説明する図である。
【図８】編集操作部の操作面を示す図である。
【図９】編集作業について説明する図である。
【図１０】編集作業について説明する他の図である。
【図１１】編集作業について説明するさらに他の図である。
【図１２】編集処理の詳細について説明するフローチャートである。
【図１３】編集処理の詳細について説明する他のフローチャートである。
【図１４】編集処理の詳細について説明するさらに他のフローチャートである。
【図１５】編集処理の詳細について説明するさらに他のフローチャートである。
【図１６】編集処理の詳細について説明するさらに他のフローチャートである。
【符号の説明】
【０１９４】
１０  光ディスク装置，  ４６  表示装置，  ５８  映像表示I/F５８，  ８１  再生対象読出部，  ８２  合成部，  ８４  編集部，  １４１  親画面，  １４２  子画面，  １７１  入力ボタン，  １７３  イン点ボタン，  １７４  アウト点ボタン，  １８２  サブメインボタン，  １９１  メインボタン，  １９２  サブボタン，  １９３  巻き戻しボタン
【図１】
2008172497.tif 000003
【図２】
2008172497.tif 000004
【図３】
2008172497.tif 000005
【図４】
2008172497.tif 000006
【図５】
2008172497.tif 000007
【図６】
2008172497.tif 000008
【図７】
2008172497.tif 000009
【図８】
2008172497.tif 000010
【図９】
2008172497.tif 000011
【図１０】
2008172497.tif 000012
【図１１】
2008172497.tif 000013
【図１２】
2008172497.tif 000014
【図１３】
2008172497.tif 000015
【図１４】
2008172497.tif 000016
【図１５】
2008172497.tif 000017
【図１６】
2008172497.tif 000018